(57)【特許請求の範囲】
【請求項１】
本体側機器とバッテリパックとの電気的接続を図るバッテリ装着用端子構造であって、
本体側機器の本体側端子は平板状のコンタクト部を有し、バッテリパックのバッテリパック側端子は互いに対向する２つの接片を有し、また、上記本体側端子とバッテリパック側端子とは、上記コンタクト部における面方向で少なくとも２方向の結合が可能となっており、本体側端子とバッテリパック側端子との結合時に、上記２つの接片が上記コンタクト部を狭持するようにしたバッテリ装着用端子構造であって、
上記本体側端子は本体側機器のバッテリパックが装着される凹部における内角部に設けられ、また、バッテリパック側端子は、上記本体側端子に対応する位置であって、バッテリパックのケース体の外角部に設けられ、上記本体側端子のコンタクト部は上記内角部を構成する面に対していずれもほぼ直角な向きで立設され、上記バッテリパック側端子の接片は、上記外角部を構成する２面に開口する端子配置溝内に設けられ、
上記端子配置溝と平行に、上記端子配置溝を挟むように２つの案内溝が設けられ、該案内溝は該端子配置溝よりも溝幅が大きく、かつ、長さ、深さともに大きく形成されると共に、
上記本体側端子のコンタクト部は、隣り合う２縁が上記本体側機器の内角部に埋設されると共に、平板状で矩形の部分が突出し、
上記本体側端子のコンタクト部と平行に、上記コンタクト部を挟むように２つの案内片が設けられ、該案内片は該コンタクト部よりも大きく形成されると共に、板厚も厚くされ、
上記案内片は矩形形状をなすと共に、隣り合う２縁が上記本体側機器の内角部に一体に形成され、
上記本体側端子と上記バッテリパック側端子との結合においては、上記コンタクト部が上記端子配置溝へ侵入するよりも先に上記案内片が上記案内溝へ侵入するようにされ、
上記バッテリパックを上記本体側機器に誤った向きで装着しようとしたときは上記案内片で外力を受けるようにされ、
上記２つの接片の接触部に半球状をした接触凸部を形成し、これら２つの接触凸部で上記コンタクト部を狭持するようにすると共に、
上記２つの接触凸部で上記コンタクト部を挟持していない状態では、上記２つの接触凸部は接触するように構成した
ことを特徴とするバッテリ装着用端子構造。
【請求項２】
請求項１に記載したバッテリ装着用端子構造であって、
上記本体側端子のコンタクト部を覆うように回動自在に支持された保護プレートを有する
ことを特徴とするバッテリ装着用端子構造。
【請求項３】
請求項２に記載したバッテリ装着用端子構造であって、
上記保護プレートの幅は上記２つの案内片の間隔より短く構成され、該２つの案内片の間で回動するようにされた
ことを特徴とするバッテリ装着用端子構造。
【請求項４】
請求項３に記載したバッテリ装着用端子構造であって、
上記保護プレートの前端部には該前端部側に開口するスリットを有し、上記バッテリパックが上記本体側機器に装着されたときには、該スリットに上記コンタクト部が挿通されて上記保護プレートの回動が許容されるようにされた
ことを特徴とするバッテリ装着用端子構造
【発明の詳細な説明】
【０００１】
【発明の属する技術分野】
本発明は、電気的接触が図られる端子を有する本体側機器と装着部品との端子構造についてその接触安定性の向上を図る技術に関する。
【０００２】
【従来の技術】
本体側機器と電気的接触を図る装着部品として、たとえば、ビデオカメラに装着されるバッテリパックがある。
【０００３】
かかるバッテリパックは、ビデオカメラの他に、ビデオライト、充電器などにも装着を可能とし、これらとの電気的接触を図る必要があり、これらはすべて、同一形状の端子が備えられている。
【０００４】
また、バッテリパックにはその容量の相違から複数タイプのものがあり、さらに、同一形状の端子を有するバッテリパックに類似する装着部品として、たとえば、乾電池パック、ＤＣプレートなどがある。なお、ＤＣプレートとは、バッテリ装着部に装着されるバッテリパック様の外形を有した装着部品で、充電器に接続するコードを有し、充電器に接続することによりＤＣ電力を上記装着部品を介して本体側機器に供給するものである。
【０００５】
そして、このような本体側機器と装着部品との電気的接触を図るために、たとえば、本願出願人と同一の出願人による特開平１０─３１２７８２号に記載された端子構造がある。
【０００６】
これを簡単に説明すると、バッテリ側端子としてバッテリケースに埋設された円筒形状のスリーブ端子が、また、本体機器側端子として上記スリーブ端子に嵌合する円柱形状のピン端子が、それぞれ採用されている。
【０００７】
そして、これらスリーブ端子、ピン端子は、バッテリケース又はバッテリ装着部のモールド部分にインサート成形されている。
【０００８】
このようなバッテリパックの本体側機器への装着は、バッテリケース体および本体側機器のバッテリ装着部に形成された凹凸嵌合部により為すとともに、上記スリーブ端子およびピン端子をその軸方向にスライドさせて、バッテリパック側のスリーブ端子内に本体側機器のピン端子を相対的に挿入させることにより、端子間の電気的接続が為されることにより完了する。
【０００９】
【発明が解決しようとする課題】
ところが、上記したように、従来の端子構造にあっては、バッテリパックの本体側への装着は、少なくとも、本体側機器に対してバッテリパックをスリーブ端子とピン端子との嵌合が終了するまで、一方向にスライドさせる必要があり、その分、本体側機器及び／又は装着部品の小型化を図ることが難しいという問題がある。
【００１０】
すなわち、バッテリパックのバッテリ装着部はバッテリパックよりもその長さ方向に長く、その長さは上記スリーブ端子とピン端子とが嵌合する分のスライド量と少なくとも同じか又はやや長くする必要がある。このため、両端子の嵌合のためのスライド量を考慮して、本体側機器のバッテリ装着部を設けなければならず、本体側機器に余分なスペースを設けなければならず、これが小型化を阻害していた。
【００１１】
また別の問題として、上記本体側端子（ピン端子）はバッテリ装着部に露出されているため、何かの衝突により変形してしまう可能性が高く、かかる場合、両端子が接続されたときの接触安定性が悪化するという問題もある。
【００１２】
特に、バッテリパックをその向きを誤ってバッテリ装着部に装着しようとしたり、或いはバッテリ装着部に対してバッテリパックを斜めに傾けて無理矢理装着しようとしたりしたとき、上記本体側端子（ピン端子）に無理な力（外力）がかかってしまい、変形してしまう事故が多かった。
【００１３】
そこで、本発明は、本体側機器に対する装着部品の装着に必要は移動量を少なくして、本体側機器および装着部品の小型化を図るとともに、本体側機器と装着部品との電気的接触が図られるための端子構造についてその接触安定性の向上を図ることを課題とする。
【００１４】
【課題を解決するための手段】
そこで、本発明端子構造は、上記した課題を解決するために、本体側機器の本体側端子は平板状のコンタクト部を有し、バッテリパックのバッテリパック側端子は互いに対向する２つの接片を有し、また、上記本体側端子とバッテリパック側端子とは、上記コンタクト部における面方向で少なくとも２方向の結合が可能となっており、本体側端子とバッテリパック側端子との結合時に、上記２つの接片が上記コンタクト部を狭持するようにしたバッテリ装着用端子構造であって、上記本体側端子は本体側機器のバッテリパックが装着される凹部における内角部に設けられ、また、バッテリパック側端子は、上記本体側端子に対応する位置であって、バッテリパックのケース体の外角部に設けられ、上記本体側端子のコンタクト部は上記内角部を構成する面に対していずれもほぼ直角な向きで立設され、上記バッテリパック側端子の接片は、上記外角部を構成する２面に開口する端子配置溝内に設けられ、上記端子配置溝と平行に、上記端子配置溝を挟むように２つの案内溝が設けられ、該案内溝は該端子配置溝よりも溝幅が大きく、かつ、長さ、深さともに大きく形成されると共に、上記本体側端子のコンタクト部は、隣り合う２縁が上記本体側機器の内角部に埋設されると共に、平板状で矩形の部分が突出し、上記本体側端子のコンタクト部と平行に、上記コンタクト部を挟むように２つの案内片が設けられ、該案内片は該コンタクト部よりも大きく形成されると共に、板厚も厚くされ、上記案内片は矩形形状をなすと共に、隣り合う２縁が上記本体側機器の内角部に一体に形成され、上記本体側端子と上記バッテリパック側端子との結合においては、上記コンタクト部が上記端子配置溝へ侵入するよりも先に上記案内片が上記案内溝へ侵入するようにされ、上記バッテリパックを上記本体側機器に誤った向きで装着しようとしたときは上記案内片で外力を受けるようにされ、上記２つの接片の接触部に半球状をした接触凸部を形成し、これら２つの接触凸部で上記コンタクト部を狭持するようにすると共に、上記２つの接触凸部で上記コンタクト部を挟持していない状態では、上記２つの接触凸部は接触するように構成したものである。
【００１６】
したがって、本発明にあっては、本体側端子のコンタクト部は、コンタクト部の外側に設けられコンタクト部よりも大きい２つの案内片で挟持されるようになる。そして、本体側端子とバッテリパック側端子との結合においては、コンタクト部が端子配置溝へ侵入するよりも先に２つの案内片が案内溝へ侵入するようにされ、バッテリパックを本体側機器に誤った向きで装着しようとしたときは２つの案内片で外力を受けるようにされている。そのため、端子間の結合方向の如何に関わらず、安定した接触状態を確保することができる。また、２つの接片の接触部に半球状をした接触凸部を形成し、これら２つの接触凸部でコンタクト部を狭持するようにしたので、両端子の結合方向にかかわらず、安定した接触状態を確保することができる。そして、さらに、２つの接触凸部は接触するように構成したので、コンタクト部に対する接片の接触時に両者に無理な力が働かず、よって、コンタクト部および接片が変形されることはなく、安定した接触状態を確保することができる。
【００１８】
【発明の実施の形態】
以下に、本発明の詳細を添付図面に示した実施の形態に従って説明する。
【００２０】
また、以下に説明するビデオカメラは、通常使用される状態において、カメラ本体の上部にレンズ鏡筒が位置し、その右側面にバッテリパックが着脱自在に装着されるタイプのものである。そのため、以下の説明においても、この向きを基準にして説明するものとし、各図において矢印で示す、Ｕ方向、Ｄ方向、Ｌ方向、Ｒ方向、Ｆ方向、Ｂ方向は、それぞれ、上方、下方、左方、右方、前方、後方を意味する。また、バッテリパックの向き（方向性）については、本来、一義的なものはないが、上述のビデオカメラに装着される場合について説明するため、これと同じ向き（方向性）でバッテリパックについても説明するものとする。
【００２１】
ビデオカメラ１は直方体状のカメラ本体２と、該カメラ本体２の上部に設けられたレンズ鏡筒３と、カメラ本体２の左面に設けられた表示パネル（図示は省略する。）などを有する。
【００２２】
また、カメラ本体２の右面には扁平な凹状のバッテリ装着部１０となっており、４つの枠体（前枠体１１、後枠体１２、上枠体１３、下枠体１４）により囲まれている（図１、図２参照）。
【００２３】
該バッテリ装着部１０は正面（右方）から見て矩形を呈し、その大きさはここに装着されるバッテリパック１００の正面投影形状よりも僅かに大きく形成され、また、前枠体１１の内面（後面）１１ａ及び後枠体１２の内面（前面）１２ａの上端及び下端にそれぞれ寄った位置には、左右方向に延びる小リブ１６、１６、・・・がそれぞれ設けられ、該小リブ１６の突出量は僅かであり、かつ、その突出量はバッテリ装着部１０の底面１５に行くにしたがい僅かに大きく、すなわち、テーパ状に形成され、その底面１５において対向する小リブ１６、１６の間の間隔はバッテリパック１００の前後幅寸法とほぼ同じか又は僅かに小さく形成されている（図３参照）。
【００２４】
バッテリ装着部１０を構成する上枠体１３の前部底面１３ａ側には、上記バッテリパック１００の端子（以下「バッテリ側端子」という。）１２０と接続するための端子（以下「本体側端子」という。）３０が設けられ、また、下枠体１４の中央にはバッテリパック１００をバッテリ装着部１０に保持するためのロック機構４０が設けられている（図１参照）。
【００２５】
先ず、当該ビデオカメラ１に使用されるバッテリパック１００について説明する。
【００２６】
バッテリパック１００は、直方体状のバッテリケース１０１と、該バッテリケース１０１に収納されたバッテリセル１０２、１０２と、当該バッテリパック１００の残量などを計算し記憶するＩＣチップ１０３などがマウントされた基板１０４と、該基板１０４に取着され上記本体側端子３０と接続するバッテリ側端子１２０とを有する（図４参照）。
【００２７】
ここで、バッテリパック１００には、主にその容量の違いから複数タイプのものがあり、図１、図３乃至図９、図１３乃至図１６に示すものは標準容量タイプのものであり、複数タイプあるバッテリパック１００のうち外形が最も小さい（厚みが薄い）ものである。
【００２８】
そして、バッテリケース１０１は正面ケース１０５と背面ケース１０６とから成り（図４参照）、背面ケース１０６は上記複数タイプあるバッテリパック１００において大きさな同じであるが、正面ケース１０５はその大きさ（厚さ）が相違する（図３７乃至図４０参照）。
【００２９】
背面ケース１０６の上面前部は他の部分より一段低い凹所１０７が形成され、該凹所１０７には正面側（右方）及び背面側（左方）に開口する矩形切欠１０８が形成され、該矩形切欠１０８に上記バッテリ側端子１２０が正面側（右方）からスライドされて取着されるようになっており、該矩形切欠１０８に取着されたバッテリ側端子１２０の上面は上記凹所１０７以外の部分とほぼ面一になるようになっている（図９参照）。
【００３０】
背面ケース１０６の矩形切欠１０８の前後側縁には、上方へ突出して左右方向に延びるリブ（以下「端子位置決めリブ」という。）１０９、１０９がそれぞれ形成されており、該端子位置決めリブ１０９、１０９の左端は背面ケース１０６の背面１０６ａまでは達せず、該底面１０６ａよりやや右方へ寄った位置まで形成されているとともに、これら２つの端子位置決めリブ１０９、１０９の上面はバッテリ側端子の上面および背面ケース１０６の上記凹所１０７以外の部分とほぼ面一となっている（図９参照）。
【００３１】
また、２つの端子位置決めリブ１０９、１０９の間の間隔は上記バッテリ側端子１２０の前後方向の寸法とほぼ同じに形成されており、２つの端子位置決めリブ１０９、１０９は取着されたバッテリ側端子１２０の右側縁部よりもやや右方へ延び、その左端は互いに反対方向（前後方向）に延びる小突条１１０、１１０が一体に形成されている。かかる小突条１１０、１１０および上記端子位置決めリブ１０９、１０９などのように当該バッテリ側端子１２０の近傍に形成された凸部は後述するように、当該バッテリパック１００の種別を判別するための判別子１１１、１１１、・・・となっている（図７参照）。
【００３２】
上記端子位置決めリブ１０９の右端部１０９ａは正面ケース１０５が背面ケース１０６と組み合わされたときに背面ケース１０６側にやや覆い被さるようになっており、かかる端子位置決めリブ１０９の右端部１０９ａは後に詳述するように、当該バッテリパック１００がカメラ本体２のバッテリ装着部１０に装着されたときの上側の被係止部１１２の１つになっている（図８参照）。
【００３３】
また、背面ケース１０６の上面後側角部には、上方及び後方に開口する比較的小さな小凹部１１３が設けられ、かかる小凹部１１３は、当該バッテリパック１００がバッテリ装着部１０に装着されたときの上側の被係止部１１２の１つになっている（図８参照）。
【００３４】
さらに、背面ケース１０６の下面１０６ｂには前後方向に延びる凹条の被ロック溝１１４が形成され、カメラ本体２側のロック機構４０のロック爪４１（後述する。）が係止するようになっており、被ロック溝１１４はバッテリパックの１００の下側の被係止部１１２になっている（図６参照）。
【００３５】
このように、バッテリパック１００側の各所の被係止部１１２（端子位置決めリブ１０９の右端部１０９ａ、小凹部１１３および被ロック溝１１４）を背面ケース１０６、すなわち、一部品に設けることにより、バッテリ装着部１０に装着されたときのバッテリパック１００の位置精度を高くすることができる（図１５参照）。
【００３６】
すなわち、バッテリパック１００のバッテリ装着部１０への装着は、背面ケース１０６の背面（左面）１０６ａがバッテリ装着部１０の底面１５に接触するとともに（図１５参照）、バッテリパック１００側の各所の被係止部１１２（端子位置決めリブ１０９の右端部１０９ａ、小凹部１１３および被ロック溝１１４）がバッテリ装着部１０側の対応する係止部（後述する庇部１７、小凸部２０およびロック爪４１）に係止されることにより為されるが、その複数の被係止部１１２、１１２、・・・が、たとえば、背面ケース１０６と正面ケース１０５などのように別部品に設けられると、背面ケース１０６と正面ケース１０５との組み立てが精度良く為されないと係止状態にガタが生ずるとともに、バッテリ側端子１２０と本体側端子３０との結合状態に不具合が生じてしまうからである。
【００３７】
そこで、上記バッテリパック１００のように、一部品（背面ケース１０６）に上述のような位置決め用の被係止部１１２を集中して形成することによりバッテリパック１００のの装着状態における位置決めを精度良くすることができ、また、これにより、背面ケース１０６と正面ケース１０５との組み合わせ精度をラフにすることができる。
【００３８】
また、正面ケース１０５の上面前部であって、上記バッテリ側端子１２０に対応する部位には、背面ケース１０６の凹所１０７とほぼ面一になる凹所１１５が形成され、該凹所１１５の左側縁にはバッテリ側端子１２０を右方から押さえる端子押えリブ１１６が形成されている（図７乃至図９参照）。
【００３９】
この端子押えリブ１１６の前後方向の長さは、上記背面ケース１０６の２つの端子位置決めリブ１０９、１０９の間の間隔、すなわち、バッテリ側端子１２０の前後方向の寸法とほぼ同じに形成されており、これにより、端子押えリブ１１６は、正面ケース１０５を背面ケース１０６に組み立てたとき、上記２つの端子位置決めリブ１０９、１０９間に位置されてバッテリ側端子１２０を左方から押さえるとともに、背面ケース１０６の２つの端子位置決めリブ１０９、１０９が端子押えリブ１１６よりも僅かに右方に突出されていて、上述のように、被係止部１１２、１１２となるようになっている（図８参照）。
【００４０】
このような標準容量タイプのバッテリパック１００にはバッテリケース１０１内に２つの扁平直方体状のバッテリセル１０２、１０２が前後に並んで収納され、これらの上部に上記基板１０４が取着され、該基板１０４にはその前側部分に上記バッテリ側端子１２０が、また、後側部分に上記ＩＣチップ１０３などがマウントされている（図４参照）。
【００４１】
このように、バッテリパック１００に対して一方に偏倚させた位置にバッテリ側端子１２０を配設するようにしたので、これと反対側の部分に比較的大きな空間を設けることができ、ＩＣチップ１０３などの電子部品の配置を可能とし、スペースの効率化を図ることができる。特に、バッテリセル１０２が扁平直方体をしたものにあっては、これをバッテリケース１０１内に配列したときにデッドスペースができず、バッテリパック１００としてバッテリセル１０２、１０２を効率よく配置することができる反面、バッテリ側端子１２０、基板１０４上のＩＣチップ１０３などバッテリセル１０２から突出するものを配設するスペースの確保が困難であるが、上述のように、バッテリ側端子１２０をバッテリパック１００に対して偏倚した位置に配置することによりスペースの有効利用を行うことができる（図４、図７参照）。
【００４２】
また、バッテリ側端子１２０をバッテリパック１００に対して偏倚した位置に設けることにより、カメラ本体２への装着において誤装着を防止することもできる。
【００４３】
なお、バッテリ側端子１２０及びその受け側である矩形切欠１０８の詳細な形状および両者の組み立て方法などについては、後に詳述する。
【００４４】
次に、カメラ本体２のバッテリ装着部１０の詳細について説明する。
【００４５】
カメラ本体２のバッテリ装着部１０の底面１５までの寸法は上記バッテリケース１０１の背面ケース１０６の厚さ（左右方向の厚さ）よりやや大きく形成され、これにより、バッテリパック１００がバッテリ装着部１０に装着された状態で、その背面ケース１０６はバッテリ装着部１０内に位置し、正面ケース１０５のほとんどの部分はカメラ本体２から突出するようになっている（図３、図１５参照）。
【００４６】
本体側端子３０は上記バッテリ側端子１２０に対向する位置、すなわち、上枠体１３内面（下面）と底面１５との角部であって、上斜め前側の位置に設けられている（図１０参照）。
【００４７】
上枠体１３内面１３ａの開口側縁（右側縁）であって、上記本体側端子３０が設けられた位置に対応する部位には、下方に突出する庇部１７が形成され、該庇部１７とバッテリ装着部１０の底面１５との間の寸法は、上記背面ケース１０６の背面１０６ａと端子位置決めリブ１０９の右端部との間の寸法と同じに形成されている（図１５参照）。
【００４８】
これにより、バッテリパック１００をバッテリ装着部１０に装着して、端子位置決めリブ１０９の右端部１０９ａを庇部１７に係止したときに、両者間にガタツキがなく、よって、装着状態においてバッテリパック１００の上部前側部位においてガタツキのない状態での係止が為されるようになっている（図１５参照）。
【００４９】
庇部１７の後端からバッテリ装着部１０の底面１５（左方）に向かって突条（以下、「阻止突条」という。）１８が一体に形成され、該阻止突条１８の先端は底面１５から適宜離間した位置までとなっており（図１０参照）、上記バッテリパック１００の背面ケース１０６の上記判別子１１１と干渉しないようになっている。
【００５０】
かかる阻止突条１８および後述する本体側端子３０の近傍に形成される小突部１８ａは、後述するように、バッテリパック１００の装着の可否を決定する阻止部１９となっている。なお、このビデオカメラ１においては上記阻止部１９がバッテリパック１００の判別子１１１と干渉しないようになっているので、バッテリ装着部１０へのバッテリパック１００の装着を「可」としているが、このようなバッテリパック１００を装着する機器、たとえば、ビデオライト１５０（低容量のバッテリパック１００は装着できないようになったもの）などにおいては、バッテリパック１００の容量の相違により装着を「不可」とする場合もある。
【００５１】
かかる場合、上記阻止部１９がバッテリ装着部１０の底面１５近傍まで延びて、上記判別子１１１と干渉してその装着を阻止するようにしたものもある。このようなバッテリパック１００の装着の可否は上記バッテリパック１００側の判別子１１１と上記阻止部１９との形状、位置関係で行うようになっており、その詳細については後述する。
【００５２】
バッテリ装着部１０の上枠体１３の内面（下面）１３ａの後側と後枠体１２の内面（前面）１２ａとの角部であって、上記背面ケース１０６の小凹部１１３に対応した位置には、該小凹部１１３にほぼぴったり嵌合する小凸部２０が形成され（図１０参照）、該小凸部２０のバッテリ装着部１０の底面１５からの形成位置と上記小凹部１１３の背面ケース１０６の背面１０６ａからの形成位置とが同じになっており、これにより、バッテリパック１００をバッテリ装着部１０に装着したときに、バッテリパック１００の上部後側部位における係止がガタツキのない状態で為されるようになっている。
【００５３】
バッテリ装着部１０の底面１５であってその下部中央には矩形の孔（以下「押上プレート配置孔」という。）２１が形成され、また、その下枠体１４の内面（上面）には上記押上プレート配置孔２１に連続して切欠部（以下「ロックレバー配置孔２２」という。）が設けられている（図２参照）。
【００５４】
ロック機構４０は、バッテリパック１００の下面に形成された被ロック溝１１４に係合するロック爪４１を有するロックレバー４２とバッテリパック１００の底面１０６ａを離脱方向に押圧する押上プレート４３と上記ロックレバー４２によるロックが解除されたときにバッテリパック１００が飛び出さないようにする飛び出し防止レバー４４とを有し、これらロックレバー４２、押上プレート４３及飛び出し防止レバー４４は、下枠体１４と底面１５との角部内側において１つのベースプレート４５に同軸状に回動自在に支持されている（図１１、図１２参照）。
【００５５】
そして、ベースプレート４５は下枠体１４の内部に収納固定され、上記ロックレバー４２は下枠体１４の上記ロックレバー配置孔２２に、押上プレート４３は上記押上プレート配置孔２１に、飛び出し防止レバー４４はロックレバー配置孔２２に連続して形成された矩形状の切欠部（以下「飛び出し防止レバー配置孔」という。）４６に、それぞれ配置される（図１１参照）。
【００５６】
また、ロックレバー４２、押上プレート４３、飛び出し防止レバー４４を回動自在に支持する回動軸４７にはねじりコイルバネ４８のコイル部４８ａが外嵌され、該ねじりコイルバネ４８の一方の腕部４８ｂがロックレバー４２に、他方の腕部４８ｃが押上プレート４３に作用しており、これにより、ロックレバー４２は上方に、押上プレート４３は右方に回動付勢されている（図１２参照）。
【００５７】
ロックレバー４２は、その全体が横倒Ｌ字状を呈し、その上面片４９が上記下枠体１４の内面（上面）の一部を為すように形成され、該上面片４９の回動中心寄り位置に前後方向に延びる断面三角状のロック爪４１が形成され、また、右側面下部に当該ロックレバー４２を操作するための操作部５０が形成されている（図１１、図１２参照）。
【００５８】
そして、上記ロック爪４１はバッテリ装着部１０の底面１５からやや右方（正面側）に寄った位置に形成されており、その底面１５からの距離は、上記バッテリパック１００の被ロック溝１１４の底面１０６ａからの距離と同じになっていて、これにより、ロック爪４１が被ロック溝１１４に係合したときにバッテリパック１００はバッテリ装着部１０の底面１５に押し付けられるようになっている（図１５参照）。
【００５９】
また、ロックレバー４２の上面片４９の左右両側部には下枠体１４のロックレバー配置孔２２の縁部に当接する小突起５１、５１がそれぞれ形成され、該小突起５１、５１が上記ロックレバー配置孔２２の縁部に内側から衝突することにより、上記ねじりコイルバネ４８による回動付勢が阻止され、かかる状態では上面片４９の上面が下枠体１４の上面と面一になるようになっている。
【００６０】
押上プレート４３には回動中心から下方へ突出する小片５２、５２が一体に形成されており、該小片５２、５２が上記ベースプレート４５に当接することにより、上記ねじりコイルバネ４８による回動付勢が阻止され、かかる状態では押上プレート４３が押上プレート配置孔２１よりも右方へ突出した状態になっている（図１２参照）。
【００６１】
飛び出し防止レバー４４はその回動端部の下面と上記ベースプレート４５に形成された突片５３との間に圧縮コイルバネ５４が縮設されており、これにより、飛び出し防止レバー４４は上記ロックレバー４２と同様に上方に回動付勢されている（図１３乃至図１６参照）。なお、図１３乃至図１６においては、上記バッテリ側端子１２０および本体側端子３０は省略する。
【００６２】
飛び出し防止レバー４４の回動端には上方に突出する爪部５５が形成され、また、その基端部には前方に突出する回動阻止片５６が一体に形成されており、該回動阻止片５６がベースプレート４５に形成された抑止片５７に衝突することにより、上記圧縮コイルバネ５４による回動付勢が阻止され、かかる状態では上記爪部５５が下枠体１４の上面から上方に突出するようになっている（図１３乃至図１６参照）。
【００６３】
また、飛び出し防止レバー４４の爪部５５はロックレバー４２のロック爪４１よりも右方に形成されている（図１３乃至図１６参照）。
【００６４】
このようにバッテリ装着部１０にバッテリパック１００が装着されていない状態においては、ロックレバー４２のロック爪４１及び飛び出し防止レバー４４の爪部５５が下枠体１４の上面から上方へ突出し、押上プレート４３がバッテリ装着部１０の底面１５から右方へ突出した状態となっている（図１３乃至図１６参照）。
【００６５】
しかして、バッテリ装着部１０にバッテリパック１００を装着するときは、次のようにして行い、装着されたバッテリパック１００は上記ロック機構４０によりバッテリ装着部１０にロックされた状態で保持される。
【００６６】
先ず、バッテリパック１００の上部を左方に傾けた状態で、バッテリ装着部１０内に挿入し、バッテリ側端子１２０（背面ケース１０６の端子位置決めリブ１０９及び正面ケース１０５の端子押えリブ１１６を含む。）をバッテリ装着部１０の庇部１７の内側に潜り込ませる。そして、上述したように、バッテリパック１００側の判別子１１１がバッテリ装着部１０側の部材（阻止部１９）と干渉することがないため、バッテリパック１００のバッテリ側端子１２０、端子位置決めリブ１０９及び端子押えリブ１１６を庇部１７の奥までに潜り込ませることができる（図１３参照）。
【００６７】
このとき、図示は省略したが、上記バッテリ側端子１２０の端子部材１２２、１２２、１２２と上記本体側端子３０の３つの端子片３１、３１、３１とが各別に接合される。
【００６８】
なお、後に詳述するが、バッテリパック１００側の判別子１１１とバッテリ装着部１０側の阻止部１９とが干渉するように形成しておくことにより、上記バッテリ側端子１２０をバッテリ装着部１０の庇部１７の奥までは潜り込ませることができず、よって、バッテリ側端子１２０の端子部材１２２と本体側端子３０の端子片３１とが接合しないようになっている。
【００６９】
また、バッテリ装着部１０の阻止部１９とバッテリパック１００の判別子１１１とが干渉しても、なお、無理矢理、バッテリパック１００を装着しようとすると、上記判別子１１１が阻止部１９を押圧してバッテリ装着部１０の上枠体１３を撓ませてしまい、その装着を「可」としてしまう場合も万が一あるかもしれない。
【００７０】
しかし、かかる場合にあっても、阻止部１９と判別子１１１とが両端子１２０、３０の近傍に形成されているため、阻止部１９を押圧してときに、本体側端子３０の押されて押圧方向に逃げてしまい、よって、両端子１２０、３０が結合されることはなく、結局、端子片３１と端子部材１２２とが接触されることはなく、電気的接触を回避することができる。
【００７１】
次に、バッテリパック１００の上部（庇部１７に係止したバッテリ側端子１２０部分）を回動支点としてバッテリパック１００の下部を左方に回動させてバッテリパック１００をバッテリ装着部１０に装着する（図１４、図１５参照）。
【００７２】
このとき、バッテリパック１００の下側左側縁部（底面側角部）が上記ロック機構４０の飛び出し防止レバー４４の爪部５５が下方に蹴られた後、該爪部５５がバッテリパック１００の被ロック溝１１４内に係合する（図１４参照）。
【００７３】
さらに、バッテリパック１００の下部をバッテリ装着部１０側に押圧していくと、上記飛び出し防止レバー４４の爪部５５は、被ロック溝１１４の縁部により蹴られるとともに、ロックレバー４２のロック爪４１がバッテリパック１００の下側左側縁部（底面側角部）により下方に蹴られた後、該ロック爪４１が被ロック溝１１４内に係合して、バッテリパック１００の装着が完了する（図１５参照）。
【００７４】
また、ロック爪４１の被ロック溝１１４への係合に先立ち、バッテリパック１００の底面１０６ａが押上プレート４３を左方に回動させて、バッテリパック１００の底面１０６ａがバッテリ装着部１０の底面１５にほぼ面接触するようになっている（図１５参照）。
【００７５】
そして、これらロックレバー４２、飛び出し防止レバー４４及び押上プレート４３の回動は、上記ねじりコイルバネ４８又は圧縮コイルバネ５４の弾発力に抗して為される。
【００７６】
このとき、バッテリ側端子１２０の端子部材１２２と本体側端子３０の端子片３１との接合が為されるとともに、バッテリパック１００の上部に設けられた端子位置決めリブ１０９の右端部１０９ａ（被係止部１１２）が庇部１７に係合し、バッテリパック１００の小凹部１１３（被係止部１１２）がバッテリ装着部１０の小凸部２０に係合する。
【００７７】
これにより、バッテリパック１００の上部においては、端子位置決めリブ１０９の右端部１０９ａ（被係止部１１２）と庇部１７と、小凹部１１３（被係止部１１２）と小凸部２０とが係合するとともに、バッテリパック１００の下部においてはロック爪４１と被ロック溝１１４とが係合することにより、バッテリパック１００はバッテリ装着部１０に保持される（図１５参照）。
【００７８】
ロックレバー４２のロック爪４１及び飛び出し防止レバー４４の爪部５５がバッテリパック１００を上方へ押圧してバッテリパック１００を上枠体１３に押し付けることになり、バッテリパック１００の上下方向の位置決めが為される（図１５参照）。
【００７９】
これにより、バッテリ側端子１２０が本体側端子３０に押し付けられて、安定した端子部材１２２と端子片３１との接合状態が保たれる。特に、バッテリ側端子１２０及び本体側端子３０はバッテリパック１００に対して前方へ偏倚した位置に設けられているが、飛び出し防止レバー４４も前後方向の中央部よりも前方へ偏倚した位置に設けられているため、すなわち、両端子１２０、３０に対向した位置に飛び出し防止レバー４４が設けられているため、その爪部５５によりバッテリパック１００が上方へ押圧されて、端子部材１２２及び端子片３１は確実な接合状態が確保されるようになっている（図２参照）。
【００８０】
また、バッテリパック１００は上記押上プレート４３によりその下部が右方に押圧され、これをロック爪４１と被ロック溝１１４との係合により阻止するようになっているため、バッテリパック１００の装着方向（左右方向）の位置決めが為され、さらに、バッテリパック１００は、これがバッテリ装着部１０に装着されたとき、前枠体１１の内面（後面）１１ａ及び後枠体１２の内面（前面）１２ａに形成された小リブ１６、１６、・・・により規制されるため、その前後方向に位置決めが為される（図３参照）。
【００８１】
このようにしてカメラ本体２のバッテリ装着部１０に装着されたバッテリパック１００は、次のようにして取り外される。
【００８２】
すなわち、先ず、ロックレバー４２の操作部５０を手指などで押圧してロック機構４０のロック解除を行う（図１６参照）。
【００８３】
ロックレバー４２を操作すると、ロックレバー４２がねじりコイルバネ４８の弾発力に抗して下方へ回動され、これにより、そのロック爪４１はバッテリパック１００の被ロック溝１１４から離脱する。
【００８４】
ロック爪４１のバッテリパック１００に対するロック解除を行うと、バッテリパック１００は押上プレート４３によりバッテリパック１００の下部が左方に押圧され、バッテリ装着部１０の底面１５から浮き上がる（図１６参照）。
【００８５】
このとき、バッテリパック１００の下部がバッテリ装着部１０の底面１５からやや浮き上がったとき、バッテリパック１００の被ロック溝１１４に飛び出し防止レバー４４の爪部５５が嵌合する。これにより、バッテリパック１００はバッテリ装着部１０から浮き上がるものの、飛び出し防止レバー４４の爪部５５が被ロック溝１１４に引っ掛かって、バッテリパック１００が不用意に飛び出すことがない。特に、ビデオカメラ１の向きを上述の向き（通常撮影状態の向き）のときに、バッテリパック１００のロックを解除しても、飛び出し防止レバー４４の爪部５５が被ロック溝１１４に引っ掛かって、バッテリパック１００がバッテリ装着部１０から離脱することはなく、バッテリパック１００の落下を防止することができる。
【００８６】
次に、その下部が浮き上がったバッテリパック１００を手指などで把持して離脱方向（右方）に抜くことにより、飛び出し防止レバー４４の爪部５５と被ロック溝１１４との係合だけなので、バッテリパック１００を容易にバッテリ装着部１０から離脱させることができる。
【００８７】
次にバッテリ側端子１２０及びそのバッテリパック１００への組み付けについての詳細を説明する。
【００８８】
バッテリ側端子１２０は上述のように、端子ケース１２１と該端子ケース１２１にインサート成形にて設けられた端子部材１２２、１２２、１２２とから成り、端子ケース１２１は扁平な直方体ブロック状を呈し、その上面及び左面に開口する５つの溝１２３、１２３、１２４、１２４、１２４が形成されている（図１７乃至図１９参照）。
【００８９】
上記５つの溝のうち、前側と後側の２つの溝１２３、１２３は他の３つの溝１２４、１２４、１２４よりも溝幅がやや大きく、かつ、長さ、深さともに他の３つの溝１２４、１２４、１２４よりも大きく形成されており、後述するように、本体側端子３０との位置決めをするための案内溝１２３、１２３となっている（図１７乃至図１９参照）。
【００９０】
また、上記５つの溝のうち中央の３つの溝１２４、１２４、１２４は、各溝１２４内において一対の接片１２５、１２５が向かい合うように配置された端子配置溝１２４、１２４、１２４となっており、該端子配置溝１２４、１２４、１２４の内部には上記接片１２５、１２５が収納される収納空間１２６が形成されている（図１７、図１８参照）。なお、図１７および図１８においては、端子部材１２２を１つだけ破線で示し、他の２つの端子部材１２２、１２２については省略する。
【００９１】
また、このような案内溝１２３、１２３及び端子配置溝１２４、１２４、１２４の開口側縁はＲ面又はテーパ面などのいわゆる面取り加工が施されており、これにより、後述するように本体側端子３０の案内片３２、３２又は端子片３１、３１、３１がこれら各溝１２３、１２３、１２４、１２４、１２４に挿入しやすいようになっている（図２６乃至図２８参照）。
【００９２】
バッテリ側端子１２０の各端子部材１２２は、互いに向き合う一対の接片１２５、１２５と、これら接片１２５、１２５を連結する基片１２７と、該基片１２７から接片１２５、１２５と反対方向に延びバッテリケース１０１内に配置される基板１０４に半田付けされるリード片１２８とが一体に形成されている（図２１、図２２参照）。
【００９３】
接片１２５、１２５はその基部が上記端子ケース１２１に埋め込まれ、先端部には互いに近づく方向に突出する半球状の接触凸部１２５ａ、１２５ａが形成され、該２つの接触凸部１２５ａ、１２５ａは上記収納空間１２６内において、接触しているが両者に圧力がかかっていない状態（いわゆるゼロ接触状態）で接触しており、バッテリ側端子１２０の端子配置溝１２４、１２４、１２４を見たときに、そこには２つの接触凸部１２５ａ、１２５ａのみが見えるようになっている（図２０、図２１参照）。
【００９４】
したがって、コンタクト部３５を端子配置溝１２４内に挿入したときに、接触凸部１２５ａ、１２５ａにしか接触することはなく、コンタクト部３５を２方向（左右方向および上下方向）のどちらから端子配置溝１２４内にコンタクト部３５を挿入しても、接片１２５、１２５のバネ特性が同じであり、よって、両端子１２０、３０の接触安定性を確保することができる。もちろん、この効果は、当該端子構造のみに着目した場合のものであり、上記実施の形態におけるビデオカメラ１とバッテリパック１００との装着に関しては、ほぼ左右方向からの挿入しか行われていない。
【００９５】
基片１２７は端子ケース１２１の右側面に貼着されるように露出して位置され、リード片１２８は基片１２７の下縁から延出され、直角に屈曲されて端子ケース１２１の底面１２１ａとほぼ面一になって右方へ延出されている（図２０、図２１参照）。
【００９６】
端子ケース１２１の前後両側面には左右方向に延びるスライド凸部１２９、１２９が形成され、該スライド凸部１２９、１２９は上記背面ケース１０６の矩形切欠１０８の前後両側縁であって端子位置決めリブ１０９の下側に形成されたスライド溝１１７、１１７にスライド嵌合して、バッテリ側端子１２０が背面ケース１０６に支持される（図９参照）。
【００９７】
また、背面ケース１０６の上記スライド溝１１７、１１７はその左端が閉塞されており、これにより、バッテリ側端子１２０をスライド嵌合させたときの左方への位置決めが為される。すなわち、背面ケース１０６の背面１０６ａからのバッテリ側端子１２０までの位置が規制されるようになっている。
【００９８】
端子ケース１２１の右側面と前側面及び右側面と後側面とのそれぞれの角部であって、上記スライド凸部１２９、１２９の上側に隣接して切り溝１３０、１３０が形成されており、該切り溝１３０、１３０は正面ケース１０５の上記端子押えリブ１１６の前後両端部から左方へ設けられた突起１１８、１１８が嵌合するようになっている（図９参照）。
【００９９】
そして、このようなバッテリ側端子１２０は３本のリード片１２８、１２８、１２８が上記基板１０４の所定の位置（前側左角部）半田付けされてバッテリ側端子１２０が基板１０４の前側左角部にマウントされる（図４、図７参照）。また、基板１０４にはＩＣチップ１０３などの電子部品がバッテリ側端子１２０がマウントされていない後側の所定の位置にマウントされる（図７参照）。
【０１００】
しかして、バッテリパック１００は次のようにして組み立てられる。
【０１０１】
すなわち、２つのバッテリセル１０２、１０２が前後の並設された状態で結合され、これらバッテリセル１０２、１０２の上部に上記バッテリ側端子１２０及びＩＣチップ１０３などがマウントされた上記基板１０４が取着される（図４参照）。
【０１０２】
次に、このような基板１０４が取着されたバッテリセル１０２、１０２を背面ケース１０６内にその右方から挿入する。このとき、バッテリ側端子１２０を背面ケース１０６の矩形切欠１０８内に右方からスライドさせながら挿入する（図７参照）。
【０１０３】
そして、上述のように、バッテリ側端子１２０のスライド凸部１２９、１２９を背面ケース１０６のスライド溝１１７、１１７内に挿入する（図７参照）。
【０１０４】
最後に、バッテリセル１０２を覆うように正面ケース１０５を背面ケース１０６に合わせて両者を結合する（図８参照）。
【０１０５】
このとき、正面ケース１０５の突起１１８、１１８を背面ケース１０６の切り溝１３０、１３０内に嵌合するとともに、端子押えリブ１１６により端子ケース１２１の右面を押さえるとともに、その右面に露出した端子部材１２２の基片１２７、１２７、１２７を覆い隠すことになる。そして、バッテリ側端子１２０は背面ケース１０６と正面ケース１０５とに挟まれるようにして左右方向の位置決めが為される。
【０１０６】
正面ケース１０５と背面ケース１０６との結合は、両者の開口周縁を合わせた状態で、超音波溶着することにより行う。なお、超音波溶着に限らず、接着剤のよる接着などであっても良い。
【０１０７】
このように、バッテリパック１００は、背面ケース１０６、バッテリセル１０２（バッテリ側端子１２０、基板１０４なども含む。）、正面ケース１０５の３つの部品を一方向からの組み立てだけで構成することができる。
【０１０８】
次に、本体側端子３０と上記バッテリ側端子１２０との結合についての詳細を説明する。
【０１０９】
先ず、本体側端子３０はバッテリ装着部１０の上記位置（上枠体１３の前部底面側角部）に設けられ、その底面１５及び上枠体１３の下面１３ａから立設された３枚の端子片３１、３１、３１と、これら端子片３１、３１、３１を前後から挟むように設けられた２つの案内片３２、３２と、上枠体１３に回動自在に設けられ各端子片３１、３１、３１の上方を覆うように配設された保護プレート３３とから成る（図２２、図２３参照）。
【０１１０】
端子片３１は、前後方向から見て矩形をした平板状で、その上縁及び左縁が上枠体１３に埋設され、また、上枠体１３から上方に突出するリード部３４が設けられており（図２４参照）、上枠体１３から露出した部分（下縁及び右縁）が上記バッテリ側端子１２０の接片１２５、１２５に狭持されるコンタクト部３５になっており、該コンタクト部３５の端側縁は面取り加工が施されている。
【０１１１】
そして、３つの端子片３１、３１、３１は上記バッテリ側端子１２０の端子配置溝１２４、１２４、１２４の形成間隔と同じ形成間隔で形成され、各端子片３１の板厚は上記バッテリ側端子１２０に形成された端子配置溝１２４の溝幅のほぼ半分に形成されている（図２２、図２３参照）。
【０１１２】
案内片３２は、上記端子片３１と同様に前後方向から見て矩形を呈し、上枠体１３及びバッテリ装着部１０の底面１５と一体に形成されている（図２４参照）。
【０１１３】
また、案内片３２、３２は前後方向から見て端子片３１のコンタクト部３５よりも大きく、その板厚も端子片３１よりも厚く形成されており、また、上記バッテリ側端子１２０に形成された案内溝１２３、１２３の形成間隔と同じ形成間隔で形成され、各案内片３２、３２の板厚は上記バッテリ側端子１２０の端子ケース１２１の案内溝１２３、１２３の溝幅よりやや小さく形成されており、該案内片３２、３２の端側縁は面取り加工が施されている（図２３参照）。
【０１１４】
このように案内片３２は端子片３１のコンタクト部３５よりも大きく形成されているため、バッテリ側端子１２０との結合において、コンタクト部３５の端子配置溝１２４への侵入よりも先きに案内片３２の案内溝１２３への侵入が為されるようになっている（図２６参照）。
【０１１５】
保護プレート３３は、上枠体１３の内面（下面）前端部にその開口側縁（右側縁）寄り位置に上下方向に回動自在に支持されている（図２４、図２５参照）。
【０１１６】
具体的には、上枠体１３の内面（下面）前端部には凹状の保護プレート収納部１３ｂが形成され、また、保護プレート３３の前後両側縁に、上記保護プレート収納部１３ｂの右端両側部に回動自在に嵌合する支軸凸部３６、３６が一体に形成されているとともに、前側の支軸凸部３６にねじりコイルバネ３７が配設されていて、保護プレート３３は後方から見て反時計回り方向に付勢されている（図２４、図２５参照）。
【０１１７】
保護プレート３３の回動支点部には上枠体１３に当接して上記反時計回り方向の回動を阻止する回動阻止部３８、３８（図面では１つのみ示す。）が設けられており、保護プレート３３はその回動端が左斜め下方（ほぼ４５°）を向いた位置において反時計回り方向側の回動端となっている（図１０（ａ）、図２４、図２９参照）。なお、保護プレート３３の時計回り側の回動端は、上枠体１３の保護プレート収納部１３ｂ内に収納された位置であり、ほぼ水平になった位置となっている（図１０（ｂ）参照）。
【０１１８】
保護プレート３３はその前後方向の大きさが上記２つの案内片３２、３２の間隔より僅かに小さく、常に２つの案内片３２、３２の間で回動するようになっているとともに、上記端子片３１に対応する位置には回動端側縁に開口するスリット３９、３９、３９が形成されており、これにより、上方へ回動されたときにこれらスリット３９、３９、３９に各端子片３１、３１、３１が挿通されて保護プレート３３の回動を許容するとともに、回動したときに端子片３１、３１、３１が露出されるようになっている（図１０、図２２、図２３参照）。なお、図１０（ａ）は保護プレート３３を回動した状態を示し、図１０（ｂ）は保護プレートを回動していない状態を示す。
【０１１９】
そして、保護プレート３３に外力がかかっていない場合には、保護プレート３３の反時計回り方向における回動端にあって、２つの案内片３２、３２の角部が保護プレート３３の回動端縁の両側部を前後から覆った状態となっており（図２４参照）、また、この状態では、上記各端子片３１、３１、３１のコンタクト部３５、３５、３５の角部が上記各スリット３９、３９、３９内にやや嵌合された状態となっている（図２５参照）。
【０１２０】
そして、詳細は後述するが、バッテリ装着部１０にバッテリパック１００が装着されると、バッテリ側端子１２０の端子ケース１２１が上記保護プレート３３を押圧して、ねじりコイルバネ３７の弾発力に抗して保護プレート３３は時計回り方向に回動して、上枠体１３の保護プレート収納部１３ｂに位置される（図２９参照）。
【０１２１】
これにより、本体側端子３０のコンタクト部３５、３５、３５が露出されるとともに、端子ケース１２１の端子配置溝１２４、１２４、１２４に相対的に侵入して一対の接片１２５、１２５に狭持され、電気的接触が図られる（図２８参照）。
【０１２２】
このように、保護プレート３３は外力が掛かっていない状態においては、コンタクト部３５、３５、３５を覆うようになっているため、コンタクト部３５、３５、３５が露出することなく、異物の付着を防止することができる（図２５参照）。
【０１２３】
また、当該本体側端子３０に何らかの衝突、たとえば、誤った向きでバッテリパック１００が装着されようとしたとき（誤装着）など、バッテリ側端子１２０でない部材が本体側端子３０に衝突する可能性がある。
【０１２４】
このようなときにあっても、案内片３２、３２はコンタクト部３５、３５、３５より大きく形成しているため、その外力は案内片３２、３２に主に作用し、コンタクト部３５、３５、３５に直接外力が作用することはなく、よって、コンタクト部３５、３５、３５の変形防止となっている。
【０１２５】
また、比較的小さな異物が、本体側端子３０に衝突したときは、上記保護プレート３３があることにより、端子片３１（コンタクト部３５）より先に、保護プレート３３に衝突するため、その外力は緩和され、コンタクト部３５に直接大きな外力が掛かることはない。
【０１２６】
また、上述のように、保護プレート３３は２つの案内片３２、３２の間に挟まれた状態で設けられているため、保護プレート３３に前後方向の成分を持った外力が掛かったときは、保護プレート３３を支えるように案内片３２、３２が作用し、さらに、上述のように３つのスリット３９、３９、３９内に３つのコンタクト部３５、３５、３５が挿入されているため、保護プレート３３の前後方向の変位に対してはその外力が各スリット３９、３９、３９を介して３つのコンタクト部３５、３５、３５に掛かるため、１つのコンタクト部３５に集中して外力が掛かることはなく、この点からも、コンタクト部３５、３５、３５の変形を防止することができる。
【０１２７】
なお、このような本体側端子３０は、上記実施の形態のように、上枠体１３の当該部分に案内片３２、３２を一体に形成し、端子片３１、３１、３１をインサート成形により一体に形成し、また、保護プレート３３を回動自在に設けるようにしても良いし、或いは別部材として所定の形状のベース部材に各部を成形又は形成して、かかる別部材を端子アッシーとして上枠体１３に取着するようにしても良い。
【０１２８】
次に、バッテリパック１００のバッテリ装着部１０への装着によるバッテリ側端子１２０と本体側端子３０との接続について説明する。
【０１２９】
先ず、バッテリパック１００は上述のようにバッテリ装着部１０に対してバッテリ側端子１２０（端子位置決めリブ１０９、端子押えリブ１１６を含む。）を上枠体１３の庇部１７に潜らせるように斜めに位置させ、本体側端子３０とバッテリ側端子１２０とを対向させる。
【０１３０】
次に、上記庇部１７にバッテリ側端子１２０を潜らせると（図１３参照）、本体側端子３０の案内片３２、３２がバッテリ側端子１２０の案内溝１２３、１２３に相対的に挿入される（図２６参照）。このとき、案内溝１２３、１２３の開口側縁が面取りされ、また、案内片３２、３２の端側縁も面取りされているため、両者の引き込みが容易になっている。
【０１３１】
かかる状態は、案内片３２、３２が案内溝１２３、１２３に僅かに挿入された状態であり、これにより、本体側端子３０に対するバッテリ側端子１２０の位置決めが為される。このように、接片１２５、１２５とコンタクト部３５、３５、３５との接触に先立ち、モールド部材からなる案内片３２、３２及び案内溝１２３、１２３が嵌合されるため、精度良く形成された部材にて位置決めを行うことができ、よって、両端子１２０、３０の接片１２５、１２５とコンタクト部３５とが接触する前において両端子１２０、３０の位置決めが精度良く為され、その後に為される接片１２５、１２５とコンタクト部３５との接触を精度良く行うことができる。
【０１３２】
この状態から、バッテリパック１００をその下部を回動させて、バッテリ装着部１０に装着する。バッテリパック１００の回動はバッテリケース１０１の背面ケース１０６の被係止部を上記庇部１７に引っ掛け、該部位を回動支点として為される（図１４参照）。
【０１３３】
そして、バッテリ側端子１２０の端子配置溝１２４、１２４、１２４内に本体側端子３０のコンタクト部３５が相対的に侵入し（図２７参照）、コンタクト部３５が２つの接触凸部１２５ａ、１２５ａに接触してこれを押し退け、接片１２５、１２５を可撓させて、これにコンタクト部３５を狭持させ、これにより、バッテリ側端子１２０と本体側端子３０との電気的接続が図られる（図２８参照）。
【０１３４】
また、このときのコンタクト部３５及び接片１２５、１２５は、コンタクト部３５はその面方向に相対的に移動し、２つの接片１２５、１２５は先端部（接触凸部１２５ａ、１２５ａ）が押し拡げられるように可撓するため、両者間には無理な力が働かず、よって、コンタクト部３５及び接片１２５、１２５が変形されることはない。
【０１３５】
さらに、このようなバッテリ側端子１２０及び本体側端子３０は、バッテリ側端子１２０の２方向に開口した端子配置溝１２４、１２４、１２４とほぼ直角な角部を有する平板状のコンタクト部３５、３５、３５との接触であるため、両端子１２０、３０の結合方向は左右方向及び上下方向を含む９０°の範囲でで可能である。
【０１３６】
すなわち、バッテリ側端子１２０と本体側端子３０だけの構造で見れば、バッテリ側端子１２０を本体側端子３０に対して、左方又は下方、或いはこれらを含む左斜め下方から結合することができ、ほぼ９０°の範囲からの結合を可能とし、しかも、そのいずれの方向からの結合においても、コンタクト部３５と接片１２５、１２５とには無理な力が働かず、よって、コンタクト部３５及び接片１２５、１２５が変形されることはない。
【０１３７】
もちろん、上記バッテリパック１００とカメラ本体２のバッテリ装着部１０との関係においては、バッテリ側端子１２０をほぼ左方から本体側端子３０に結合させるようにしたものであり、このバッテリ側端子１２０及び本体側端子３０の構造を十分に生かし切れていないと言えるかもしれない。
【０１３８】
しかし、上記バッテリパック１００とバッテリ装着部１０との装着は回動であり、両端子１２０、３０の結合は少なくとも一方向だけの方向成分でないので、当該端子構造を採用することにより、両端子１２０、３０のコンタクト部３５と接片１２５、１２５との接触において無理な力が掛からず、変形しないようになっていると言える。
【０１３９】
また、接片１２５、１２５の先端部に接触凸部１２５ａ、１２５ａを設けて、該接触凸部１２５ａ、１２５ａがコンタクト部３５に接触するようにしたので、上記２方向を含む９０°の範囲での両端子１２０、３０の結合をさらに可能にしている。
【０１４０】
すなわち、コンタクト部３５が接片１２５、１２５を押し拡げながら侵入して行くが、コンタクト部３５が接触するのは接触凸部１２５ａ、１２５ａであるため、上記２方向を含む９０°の範囲からのいずれの方向からの両端子１２０、３０の結合でも同じ状態で受け入れることができ、よって、両端子１２０、３０の結合を容易にしている。
【０１４１】
さらに、接片１２５、１２５の先端部に接触凸部１２５ａ、１２５ａを設けたので、接片１２５、１２５とコンタクト部３５との前後方向における位置が多少ずれても、両端子（接片１２５、１２５とコンタクト部３５）の安定した接続状態を保持することができる。
【０１４２】
次に、両端子１２０、３０の結合に関して、接片１２５、１２５とコンタクト部３５との接触状態に影響を与える端子部材１２２の材質および厚さについて考察する。
【０１４３】
なお、端子片３１は黄銅（厚さ：ｔ＝０．３５ｍｍ）でその接触部に０．７６μｍの金メッキを施したものである。なお、端子片３１の材質として黄銅を選定したのは、接続端子の接点として、黄銅、リン青銅、ベリリウム銅が一般できである、コスト、加工性の点を考慮するものである。
【０１４４】
また、金メッキに関しては、その下地としてニッケル層を用い、０．７６μｍとしたのは、本来、端子接点としては０．３μｍ以上あれば十分と考えられるが、バッテリパック１００とビデオカメラ１との使用状況を考慮したとき、その繰り返し挿抜が頻繁であり、安全率を高めに設定したためである。
【０１４５】
これにより、このようなビデオカメラ１とバッテリパックの端子構造に適用されても、その接触凸部１２５ａ、１２５ａの金メッキの消耗は通常の使用状況において十分耐え得ることができ、接触安定性を確保することができる。
【０１４６】
なお、０．７６μｍの金メッキは主に接触部、すなわち、コンタクト部３５における層厚であり、リード部３４は金メッキ層厚０．１μｍ以下とすることが好ましい。これは、半田付けしたときに半田とリード部３４とを融合させ、両者の電気的接続安定性を確保するためである。
【０１４７】
そして、端子部材１２２については、４つの試料について試験して、１つに選定した。かかる試料の材質としては、上述のように、３つの材料（黄銅、リン青銅、ベリリウム銅）が考えられるが、接片１２５、１２５のバネ力を考慮するとき、リン青銅又はベリリウム銅が好ましいため、この２者について試験を行った。
【０１４８】
試料▲１▼は材質がリン青銅（厚さ：ｔ＝０．２ｍｍ）、接触部に０．７６μｍの金メッキを施し、試料▲２▼は材質がリン青銅（厚さ：ｔ＝０．１５ｍｍ）、接触部に０．７６μｍの金メッキを施し、試料▲３▼は材質がベリリウム銅（厚さ：ｔ＝０．２ｍｍ）、接触部に０．７６μｍの金メッキを施し、試料▲４▼は材質がベリリウム銅（厚さ：ｔ＝０．１５ｍｍ）、接触部に０．７６μｍの金メッキを施した。なお、金メッキについては上記端子部材１２２と同様に、その下地としてニッケル層を用い、また、層厚を０．７６μｍとして理由も同じである。また、端子部材１２２の０．７６μｍの金メッキは主に接触部、すなわち、接片１２５、１２５の接触凸部１２５ａ、１２５ａにおける層厚であり、リード片１２８は金メッキ層厚０．１μｍ以下とすることが好ましい。
【０１４９】
試験方法は、端子片３１の端子部材１２２に対する挿抜試験とし、７０００回耐久で行った。
【０１５０】
試験項目は、接触抵抗、総合嵌合力、総合離脱力および外観検査で、前３者の試験項目は、初回〜７０００回までの所定回数時における各値を、また、外観検査は７０００回耐久後の目視観察による。
【０１５１】
なお、接触抵抗は四端子法を用いて測定し、開放電圧２０ｍＶ以下、短絡電流１００ｍＡ以下で、規格値を２０ｍΩｍａｘとする。
【０１５２】
総合嵌合力は両端子１２０、３０を嵌合（結合）し、そのときの嵌合力を測定し、嵌合力を１０Ｎ（ニュートン）ｍａｘとする。
【０１５３】
総合離脱力は両端子１２０、３０の嵌合（結合）を解除し、そのときの離脱力を測定し、離脱力を０．３Ｎ（ニュートン）ｍｉｎとする。
【０１５４】
前３者の試験項目についての試験結果を図３１乃至図３３に示す。
【０１５５】
試料▲１▼については、接触抵抗のバラツキも少なく安定しており（図３１参照）、挿抜力も安定していて良い値が得られた（図３２、図３３参照）。また、外観検査においても、接片１２５、１２５の接触凸部１２５ａ、１２５ａが適量に摩耗し、問題視するような現象は見られなかった。
【０１５６】
試料▲２▼については、接触抵抗は７０００回耐久においてバラツキが大きく、総合嵌合力が弱かった（図３２参照）。また、外観検査においては、接触キズ跡が少なく、総合嵌合力が弱い分、接触圧が乏しく、接触抵抗に問題があることが観察された。
【０１５７】
試料▲３▼については、接触抵抗、総合嵌合力については問題視するようなことはなかったが、離脱力の７０００回耐久での変動が大きく、離脱時のいわゆる「ゴリ感」が生じやすかった。また、外観検査においても、離脱力の変動が大きい分、端子片３１の擦りキズが多く、また、その分、端子部材１２２側の接触凸部１２５ａ、１２５ａの摩耗が激しかった。
【０１５８】
試料▲４▼については、総合嵌合力が小さく、接触抵抗については比較的安定しているものの、未だ、接触抵抗値に問題が生じる可能性を秘めているといえる。また、外観検査においては、総合嵌合力が小さい分、接触キズ跡も少なかった。
【０１５９】
以上のことから、上記４つの試料においては、試料▲１▼が最も適していると考察することができる。
【０１６０】
さらに、ベリリウム銅に関しては、これに金メッキを施す場合、いわゆる後メッキ（所定の形状に加工した後のメッキ処理）しかできない（難しい）ため、これも、選定の理由とした。
【０１６１】
すなわち、ベリリウム銅は、一般に、金メッキを施した後、成形すること（折り曲げなどのプレス加工を行うこと）が困難であり、上述のような端子部材１２２の形状にあっては、成形後の形状が接触凸部１２５ａ、１２５ａで接触しており、このような接触部があるものについては後メッキを施すと該接触部が接触した状態で金メッキが施されてしまうからである。
【０１６２】
なお、上記４つの試料に関しては、上記規格値（接触抵抗：２０ｍΩｍａｘ、嵌合力：１０Ｎｍａｘ、離脱力：０．３Ｎｍｉｎ）を満足するものであり、いずれを選定しても格別問題となることはないが、さらなる悪条件を考慮するとき、よりよい結果が得られた試料▲１▼を選定することが好ましい。
【０１６３】
さらに、端子部材１２２の材質として試料▲１▼を選定した場合の接片１２５、１２５のバネ力による接触圧に関して考察する（図３４乃至図３６参照）。
【０１６４】
その前に、端子部材１２２およびこれが配設される端子配置溝１２４の寸法などについて明記する（図３４、図３５参照）。
【０１６５】
端子部材１２２の接片１２５、１２５は、上述のように板厚ｔ＝０．２ｍｍ、幅寸法ｗ＝１．２ｍｍで、埋設部から露出された部分の長さｌ＝３．９ｍｍであり、その先端から０．４５ｍｍ基片１２７側に寄った位置を中心に上記接触凸部１２５ａ、１２５ａがｒ＝０．３ｍｍで形成されている（図３４、図３５参照）。また、接片１２５、１２５は埋設部から互いに近づくように延びその長さ方向のほぼ中央部で互いに平行になるように屈曲されており、互いに屈曲された部分から先端までの間における両者の間隔は０．６ｍｍに形成され、これにより、先端部における接触凸部１２５ａと１２５ａとがゼロ接触するようになっている（図２１参照）。
【０１６６】
端子配置溝１２４の開口幅は０．４５ｍｍに形成され、上記コンタクト部３５が板厚ｔ＝０．３５ｍｍとなっており、よって、コンタクト部３５が端子配置溝１２４内に標準位置（真ん中）で侵入したときは、端子配置溝１２４の内縁とコンタクト部３５との間の間隔は（０．４５−０．３５）／２＝０．０５ｍｍとなっている（図３４、図３５参照）。
【０１６７】
このとき、２つの接片１２５、１２５はほぼ同じ撓みが生じ、その変位量は０．１７５ｍｍである。また、そのときの接触圧は１．００９１Ｎとなっている。（図３６参照）。
【０１６８】
ところで、端子配置溝１２４内の一方に偏倚してコンタクト部３５が侵入されたときは、一方の接片１２５に最大の変位量が、他方の接片１２５には最小の変位量が生じ、そのときのそれぞれの接触圧は１．４４１６Ｎ、０．４６０９Ｎとなっている（図３６参照）。
【０１６９】
したがって、上記試料▲１▼の材料（リン青銅）を用いた場合、コンタクト部３５との接触において、その接触圧は最大で１．４４１６Ｎ、最小で０．４６０９Ｎであり、接触圧としては十分であることが解った。
【０１７０】
金メッキを施した接点の場合、一般的には、０．０９８１Ｎ〜０．１９６１Ｎあれば、接触圧力として十分であり、上記試料▲１▼の場合には、それ以上の接触圧力がかかっており、過剰であるかのようにも見受けられる。
【０１７１】
しかし、この端子構造はバッテリパック１００とビデオカメラ１との電気的接触に適用されることを前提とするものであり、その挿抜回数が多く、金メッキが摩耗されることが容易に予想される。
【０１７２】
そのため、万が一、金メッキが摩耗し、下地層であるニッケル層が露出された場合でも、その接触抵抗値を規格値以下に確保することが必要である。
【０１７３】
そこで、一般にニッケルの接触圧力は０．５８８４Ｎくらいあれば規定値の接触抵抗を確保することができると言われているため、一方の接片１２５では上記最小値の０．４６０９Ｎであるが、他方の接片１２５では最大値の１．４４１６Ｎを確保することにより、金メッキが摩耗されたときにおいても接触抵抗値において規定値を満足するようにしたのである（図３６参照）。
【０１７４】
なお、検査項目として、他に、絶縁抵抗、耐電圧を行ったが、上記４つの試料ともに規定値内に収っており、また、格別な相違は見られなかった。
【０１７５】
さらに、耐環境性能として、耐湿性、温度サイクル、塩水噴霧などにおいて電気的性能、機械的性能の検査も行ったが、格別な相違は得られなかった。
【０１７６】
次に、上記実施の形態において、バッテリ側端子１２０を有するもの（装着部品）としてバッテリパック１００を、また、本体側端子３０を有するもの（本体側機器）としてビデオカメラ１を例に挙げて説明したが、バッテリ側端子１２０を有するもの（装着部品）としてはバッテリパック１００の他に乾電池パック１４０などがあり、また、本体側端子３０を有するもの（本体側機器）としてはビデオカメラ１の他に、ビデオライト１５０、充電器１６０などがある（図３７乃至図４０参照）。
【０１７７】
さらに、バッテリパック１００についてはその容量の相違により複数のタイプのものがあり、ビデオカメラ１についても、充電機能を備えた充電対応タイプ１Ａと充電機能を備えない充電未対応タイプ１Ｂがある（図３７乃至図４０参照）。
【０１７８】
このようなバッテリ側端子１２０を有するすべてのもの（複数タイプのバッテリパック１００や乾電池パック１４０など）が本体側端子３０を有する機器（ビデオカメラ１（充電対応タイプ１Ａ、充電未対応タイプ１Ｂ）、ビデオライト１５０や充電器１６０など）に装着できると不具合を生じる場合がある。
【０１７９】
例えば、乾電池パック１４０はビデオカメラ１Ｂ（充電未対応タイプ）には装着可能であるが、ビデオカメラ１Ａ（充電対応タイプ）や充電器１６０に対しては装着を「不可」とする必要があり、また、ビデオライト１５０でも高容量専用タイプ１５０Ａのものについてはバッテリパック１００のうち高容量バッテリパック１００Ｈのみ装着を「可」として、他の低容量バッテリパック１００Ｌ、標準容量バッテリパック１００Ｓや乾電池パック１４０の装着は「不可」にする必要がある。
【０１８０】
ここで、ビデオカメラ１の充電対応タイプ１Ａとは、カメラ本体２にＤＣｉｎ端子を備え、該ＤＣｉｎ端子にＤＣｉｎジャックを接続したときは、バッテリ装着部１０に装着したバッテリパック１００を充電しながらカメラ本体２を駆動できるもので、ビデオカメラ１の充電未対応タイプ１Ｂとは、このような充電機能を持たないものである。ちなみに上記実施の形態で例示したビデオカメラ１は充電対応タイプ１Ａのものであり、上記乾電池パック１４０が装着できないタイプのものである。
【０１８１】
そして、このようなバッテリ側端子１２０を有するものの本体側端子３０を有する機器への装着の可否を判断するとともに、装着が「不可」である場合にその装着を防止する必要がある。
【０１８２】
そこで、上記バッテリ側端子１２０の近傍に判別子１１１を設けるとともに、本体側端子３０の近傍の対応する部位にバッテリパック１００などの装着を阻止する上記阻止部１９を設ける。
【０１８３】
以下に、バッテリ側端子１２０の判別子１１１と本体側端子３０の阻止部１９の具体例を示す。
【０１８４】
バッテリ側端子１２０の判別子１１１の種類には、たとえば、Ｌタイプ、Ｓタイプ、Ｈタイプ、Ｄタイプの４種類があり、Ｌタイプ判別子１１１Ｌは低容量タイプのバッテリパック１００Ｌに、Ｓタイプ判別子１１１Ｓは標準容量タイプのバッテリパック１００Ｓに、Ｈタイプ判別子１１１Ｈは高容量タイプのバッテリパック１００Ｈに、また、Ｄタイプ判別子１１１Ｄは乾電池パック１４０に適用されている（図３７乃至図４０参照）。
【０１８５】
また、本体側端子３０の阻止部１９の種類には、タイプ I、タイプII、タイプIII、タイプIVの４種類があり、阻止部タイプ Iは充電対応タイプのビデオカメラ１Ａ（充電器１６０も同じ。）に、阻止部タイプIIは充電未対応タイプのビデオカメラ１Ｂに、阻止部タイプIIIは高容量専用ビデオライト１５０Ａに、また、阻止部タイプIVは低容量不可ビデオライト１５０Ｂに適用されている（図３７乃至図４０参照）。
【０１８６】
標準容量バッテリパック１００Ｓに適用されているＳタイプ判別子１１１Ｓは、上述のような構造であり、背面ケース１０６の背面１０６ａよりやや右方へ寄った位置まで形成された端子位置決めリブ１０９の左端から互いに反対方向（前後方向）に延びるように小突条１１０が形成されている（図３７乃至図４０参照）。
【０１８７】
低容量バッテリパック１００Ｌに適用されたＬタイプ判別子１１１Ｌは、上記Ｓタイプ判別子１１１Ｓの端子位置決めリブ１０９の左端に形成された小突条１１０が背面ケース１０６の背面１０６ａまで延び、よって、Ｌタイプ判別子１１１Ｌの小突条１１０Ｌは背面ケース１０６の背面１０６ａに連続して形成されている（図３７乃至図４０参照）。
【０１８８】
高容量バッテリパック１００Ｈに適用されたＨタイプ判別子１１１Ｈは、上記Ｓタイプ判別子１１１ＳやＬタイプ判別子１１１Ｌのような互いに反対方向（前後方向）に延びる小突条１１０、１１０Ｌが形成されていないものである（図３７乃至図４０参照）。
【０１８９】
乾電池パック１４０に適用されたＤタイプ判別子１１１Ｄは、上記Ｈタイプ判別子１１１Ｈと同様に端子位置決めリブ１０９の左端部からは小突条１１０、１１０Ｌは形成されていないが、正面ケース１０５の形成された端子押えリブ１１６の中央部から右方に延びる判別リブ１４１が一体に形成されている（図３７乃至図４０参照）。
【０１９０】
次に、各阻止部１９についてその構造を説明しつつ、上記各判別子１１１との組み合わせについても説明する。
【０１９１】
まず、本体側端子３０の阻止部タイプ Iは、上記実施の形態にかかるビデオカメラ１（充電対応タイプ１Ａ）に適用したものであり、バッテリ装着部１０の上枠体１３に形成した庇部１７と該庇部１７の後端から左方に延びるように形成した上記阻止突条１８とから成る（図３７参照）。
【０１９２】
このような阻止部タイプ Iにあっては、庇部１７の中央部がＤタイプ判別子１１１Ｄの判別リブ１４１と干渉するため、その装着を「不可」とし、他のタイプの判別子１１１とは干渉する部分がなく、その装着を「可」とする。
【０１９３】
したがって、この阻止部タイプ Iが適用された充電対応タイプのビデオカメラ１Ａには乾電池パック１４０を装着することはできず、よって、乾電池パック１４０を誤って充電してしまうような事故を防止することができる。他方、他のタイプの判別子１１１Ｌ、１１１Ｓ、１１１Ｈが適用されたバッテリパック１００Ｌ、１００Ｓ、１００Ｈはその容量の高低にかかわらず、バッテリ装着部１０に装着することができる（図３７参照）。
【０１９４】
阻止部タイプIIにあっては、庇部１７の中央部に切欠１７ａが形成されており、これにより、Ｄタイプ判別子１１１Ｄの判別リブ１４１と干渉しないため、その装着を「可」とするとともに、他のタイプの判別子１１１Ｌ、１１１Ｓ、１１１Ｈとも干渉する部分がなく、結局すべてのタイプの判別子１１１Ｌ、１１１Ｓ、１１１Ｈの装着を「可」とする（図３８参照）。
【０１９５】
したがって、この阻止部タイプIIが適用された充電未対応タイプのビデオカメラ１Ｂには、すべての低容量バッテリパック１００Ｌ、標準容量バッテリパック１００Ｓ、高容量バッテリパック１００Ｈおよび乾電池パック１４０を装着することができる（図３８参照）。
【０１９６】
阻止部タイプIIIにあっては、庇部１７の後端から底面１５（左方）に向かって形成された阻止突条１８の端部はバッテリ装着部１０の底面１５まで達しており、また、該阻止突条１８の前方にも阻止突条１８が上記底面１５から一体に形成されている。そして２つの阻止突条１８の間隔は上記バッテリ側端子１２０を前後から挟むように設けられた２つの端子位置決めリブ１０９、１０９の間の間隔とほぼ同じに形成されている（図３９参照）。
【０１９７】
このような阻止部タイプIIIにあっては、庇部１７の中央部がＤタイプ判別子１１１Ｄの判別リブ１４１と干渉するためその装着を「不可」とし、また、Ｌタイプ判別子１１１ＬおよびＳタイプ判別子１１１Ｓはこれらの端子位置決めリブ１０９の左端から互いに反対方向（前後方向）に延びる小突条１１０、１１０Ｌが上記阻止突条１８、１８に干渉するためその装着も「不可」とする。そして、Ｈタイプ判別子１１１Ｈについては、阻止部タイプIIIと干渉する部分がなく、したがって、その装着を「可」とする（図３９参照）。
【０１９８】
したがって、この阻止部タイプIIIが適用された高容量専用ビデオライト１５０Ａには、低容量バッテリパック１００Ｌ、標準容量バッテリパック１００Ｓおよび乾電池パック１４０を装着することはできず、高容量バッテリパック１００Ｈのみ高容量専用ビデオライト１５０Ａに装着することができる（図３９参照）。
【０１９９】
阻止部タイプIVにあっては、上記阻止部タイプ Iと同様に庇部１７の後端から底面１５（左方）に向かって形成された阻止突条１８はバッテリ装着部１０の底面１５までは達していないが、その延長上のバッテリ装着部１０の底面１５に接する部位に小突部１８ａが形成され、また、該小突部１８ａの前方にも小突部１８ａが上記底面１５から一体に形成されている。そして２つの小突部１８ａ、１８ａの間隔は上記バッテリ側端子１２０を前後から挟むように設けられた２つの端子位置決めリブ１０９、１０９の間の間隔とほぼ同じに形成されている（図４０参照）。
【０２００】
このような阻止部タイプIVにあっては、庇部１７の中央部がＤタイプ判別子１１１Ｄの判別リブ１４１と干渉するためその装着を「不可」とし、また、Ｌタイプ判別子１１１Ｌはその端子位置決めリブ１０９、１０９の左端から互いに反対方向（前後方向）に延びる小突条１１０Ｌ、１１０Ｌが上記小突部１８ａ、１８ａに干渉するためその装着も「不可」とする。そして、Ｓタイプ判別子１１１Ｓはその端子位置決めリブ１０９、１０９の左端から互いに反対方向（前後方向）に延びる小突条１１０、１１０がバッテリパック１００Ｓの底面１０６ａからやや離間した位置に形成されているため、阻止部タイプIVと干渉する部分がなく、よって、その装着を「可」とする。また、Ｈタイプ判別子１１１Ｈについては、阻止部タイプIVと干渉する部分がなく、したがって、その装着も「可」とする（図４０参照）。
【０２０１】
したがって、この阻止部タイプIVが適用された低容量不可ビデオライト１５０Ｂには、低容量バッテリパック１００Ｌおよび乾電池パック１４０が装着されることはなく、標準容量バッテリパック１００Ｓおよび高容量バッテリパック１００Ｈを装着することができる（図４０参照）。
【０２０２】
なお、図示は省略したが、阻止部タイプIVの小突部１８ａの近傍には検出スイッチが配設され、Ｓタイプ判別子１１１Ｓの小突条１１０の有無を検出し、Ｓタイプ判別子１１１ＳかＬタイプ判別子１１１Ｌかを判断する。
【０２０３】
そして、上記低容量不可ビデオライト１５０Ｂは２つの電球が備えられ、高容量バッテリパック１００Ｈが装着されたときは２つの電球が、標準容量バッテリパック１００Ｓが装着されたときは、１つの電球が点灯するようになっている。
【０２０４】
このように、バッテリ側端子１２０および本体側端子３０の近傍にそれぞれ判別子１１１および阻止部１９を設けることにより、バッテリ側端子１２０と本体側端子３０とが接続する前にその装着の可否を判別することができて、「不可」の場合には確実に両端子１２０、３０の結合を回避することができる。すなわち、万が一、誤装着されてしまっても、両端子１２０、３０の近傍に上記判別子及び阻止部を設けたので、両端子１２０、３０の結合は免れ、したがって、端子部材１２２と端子片３１との接触を回避することができる。
【０２０５】
なお、上記判別子１１１および阻止部１９の形状およびその形成位置は例示であり、これに限らず、バッテリ側端子１２０および本体側端子３０の近傍に判別子１１１および阻止部１９を設けるようにすればよく、また、これらが適用されるものは、バッテリパック１００、乾電池パック１４０やビデオカメラ１（１Ａ、１Ｂ）、ビデオライト１５０、充電器１６０などに限らず、種々のものが考えられる。
【０２０６】
この他、上記実施の形態において示した各部の具体的な形状乃至構造は、本発明を実施するに当たっての具体化のほんの一例を示したものに過ぎず、これらによって本発明の技術的範囲が限定的に解釈されることがあってはならないものである。
【０２０７】
【発明の効果】
以上に記載したところから明らかなように、本発明端子構造は、本体側機器の本体側端子は平板状のコンタクト部を有し、バッテリパックのバッテリパック側端子は互いに対向する２つの接片を有し、また、上記本体側端子とバッテリパック側端子とは、上記コンタクト部における面方向で少なくとも２方向の結合が可能となっており、本体側端子とバッテリパック側端子との結合時に、上記２つの接片が上記コンタクト部を狭持するようにしたバッテリ装着用端子構造であって、上記本体側端子は本体側機器のバッテリパックが装着される凹部における内角部に設けられ、また、バッテリパック側端子は、上記本体側端子に対応する位置であって、バッテリパックのケース体の外角部に設けられ、上記本体側端子のコンタクト部は上記内角部を構成する面に対していずれもほぼ直角な向きで立設され、上記バッテリパック側端子の接片は、上記外角部を構成する２面に開口する端子配置溝内に設けられ、上記端子配置溝と平行に、上記端子配置溝を挟むように２つの案内溝が設けられ、該案内溝は該端子配置溝よりも溝幅が大きく、かつ、長さ、深さともに大きく形成されると共に、上記本体側端子のコンタクト部は、隣り合う２縁が上記本体側機器の内角部に埋設されると共に、平板状で矩形の部分が突出し、上記本体側端子のコンタクト部と平行に、上記コンタクト部を挟むように２つの案内片が設けられ、該案内片は該コンタクト部よりも大きく形成されると共に、板厚も厚くされ、上記案内片は矩形形状をなすと共に、隣り合う２縁が上記本体側機器の内角部に一体に形成され、上記本体側端子と上記バッテリパック側端子との結合においては、上記コンタクト部が上記端子配置溝へ侵入するよりも先に上記案内片が上記案内溝へ侵入するようにされ、上記バッテリパックを上記本体側機器に誤った向きで装着しようとしたときは上記案内片で外力を受けるようにされ、上記２つの接片の接触部に半球状をした接触凸部を形成し、これら２つの接触凸部で上記コンタクト部を狭持するようにすると共に、上記２つの接触凸部で上記コンタクト部を挟持していない状態では、上記２つの接触凸部は接触するように構成したことを特徴とする。
【０２０９】
したがって、本発明にあっては、本体側端子のコンタクト部は、コンタクト部の外側に設けられコンタクト部よりも大きい２つの案内片で挟持されるようになる。そして、本体側端子とバッテリパック側端子との結合においては、コンタクト部が端子配置溝へ侵入するよりも先に２つの案内片が案内溝へ侵入するようにされ、バッテリパックを本体側機器に誤った向きで装着しようとしたときは２つの案内片で外力を受けるようにされている。そのため、端子間の結合方向の如何に関わらず、安定した接触状態を確保することができる。また、２つの接片の接触部に半球状をした接触凸部を形成し、これら２つの接触凸部でコンタクト部を狭持するようにしたので、両端子の結合方向にかかわらず、安定した接触状態を確保することができる。そして、さらに、２つの接触凸部は接触するように構成したので、コンタクト部に対する接片の接触時に両者に無理な力が働かず、よって、コンタクト部および接片が変形されることはなく、安定した接触状態を確保することができる。
【０２１１】
請求項２乃至４に記載した発明にあっては、本体側端子のコンタクト部を覆うように回動自在に支持された保護プレートがあるので、コンタクト部が露出することなく、異物の付着を防止することができる。
【図面の簡単な説明】
【図１】本発明に係るビデオカメラにバッテリパックを装着する直前の状態を示す斜視図である。
【図２】バッテリ装着部を右方から見た図である。
【図３】図２におけるIII−IIIに沿う拡大断面図である。
【図４】バッテリパックを分解して示す斜視図である。
【図５】バッテリパックの全体を示す斜視図である。
【図６】図５とは別方向から見たバッテリパックの全体を示す斜視図である。
【図７】バッテリパックを分解し、上方から見た拡大図である。
【図８】バッテリパックを上方から見た拡大図である。
【図９】バッテリ側端子の部分を分解し、各部を上下方向にずらして右方から見た拡大図である。
【図１０】バッテリ装着部を拡大して示す斜視図であり、（ａ）は本体側端子の保護プレートを回動させた状態を示し、（ｂ）は本体側端子の保護プレートを回動させていない状態を示す。
【図１１】ロック機構をバッテリ装着部から分解した状態を示す拡大斜視図である。
【図１２】ロック機構を分解して示す拡大斜視図である。
【図１３】図１４乃至図１６とともにバッテリパックをバッテリ装着部に装着する又は離脱する様子を一部を切り欠いて前方から見た拡大図であり、本図は装着初期の段階を示す図である。
【図１４】装着途中の段階を示す図である。
【図１５】装着が完了した状態を示す図である。
【図１６】バッテリパックを離脱する様子を示し、飛び出し防止レバーによりバッテリパックの一部が浮いた状態を示す図である。
【図１７】バッテリ側端子を上方から見た拡大図である。
【図１８】バッテリ側端子を左方から見た拡大図である。
【図１９】バッテリ側端子を後方から見た拡大図である。
【図２０】図１８におけるXX−XXに沿う拡大断面図である。
【図２１】図１９におけるXXI−XXIに沿う拡大断面図である。
【図２２】本体側端子を左方から見た拡大図である。
【図２３】本体側端子を下方から見た拡大図である。
【図２４】図２２におけるXXIV−XXIVに沿う拡大断面図である。
【図２５】図２２におけるXXV−XXVに沿う拡大断面図である。
【図２６】バッテリ側端子と本体側端子の結合する様子を示す拡大断面図であり、本図は結合初期の段階で案内片が案内溝に挿入し始めた状態を示す。
【図２７】結合途中の段階でコンタクト部が接片に接触し始めた状態を示す。
【図２８】結合が完了した状態を示す図である。
【図２９】図２８におけるXXIX−XXIXに沿う拡大断面図である。
【図３０】図２８におけるXXX−XXXに沿う拡大断面図である。
【図３１】図３２及び図３３とともに、端子片と端子部材の材質およびそのメッキについて考察した結果を示すもので、本図は接触抵抗に関する結果表である。
【図３２】嵌合力に関する結果表である。
【図３３】離脱力に関する結果表である。
【図３４】コンタクト部が標準位置で接片に狭持された状態を拡大して示す断面図である。
【図３５】コンタクト部が一方へ偏倚した位置で接片に狭持された状態を拡大して示す断面図である。
【図３６】接片の変位量と接触圧力との関係を示すグラフ図である。
【図３７】図３８乃至図４０とともに、複数種の判別子と阻止部との組み合わせにおいてその装着の可否を説明するための図であり、本図は阻止部タイプ Iと各判別子との関係を示すものである。
【図３８】阻止部タイプIIと各判別子との関係を示すものである。
【図３９】阻止部タイプIIIと各判別子との関係を示すものである。
【図４０】阻止部タイプIVと各判別子との関係を示すものである。
【符号の説明】
１…ビデオカメラ（本体側機器）、１０…バッテリ装着部（装着される凹部）、３０…本体側端子、３２…案内片、３３…保護プレート、３５…コンタクト部、３９…スリット、１００…バッテリパック、１０１…バッテリケース（ケース体）、１２０…バッテリパック側端子、１２３…案内溝、１２４…端子配置溝、１２５…接片、１２５ａ…ディンプル（接触突部）、１Ａ…充電対応タイプビデオカメラ（本体側機器）、１Ｂ…充電未対応タイプビデオカメラ（本体側機器）、１００Ｌ…低容量バッテリパック、１１０Ｌ…小突条（判別子）、１００Ｓ…標準容量バッテリパック、１００Ｈ…高容量バッテリパック、１４０…乾電池パック、１４１…判別リブ、１５０…ビデオライト（本体側機器）、１５０Ａ…高容量専用ビデオライト（本体側機器）、１５０Ｂ…低容量不可ビデオライト（本体側機器）、１６０…充電器（本体側機器）
【図１】
0003705168.tif 000002
【図２】
0003705168.tif 000003
【図３】
0003705168.tif 000004
【図４】
0003705168.tif 000005
【図５】
0003705168.tif 000006
【図６】
0003705168.tif 000007
【図７】
0003705168.tif 000008
【図８】
0003705168.tif 000009
【図９】
0003705168.tif 000010
【図１０】
0003705168.tif 000011
【図１１】
0003705168.tif 000012
【図１２】
0003705168.tif 000013
【図１３】
0003705168.tif 000014
【図１４】
0003705168.tif 000015
【図１５】
0003705168.tif 000016
【図１６】
0003705168.tif 000017
【図１７】
0003705168.tif 000018
【図１８】
0003705168.tif 000019
【図１９】
0003705168.tif 000020
【図２０】
0003705168.tif 000021
【図２１】
0003705168.tif 000022
【図２２】
0003705168.tif 000023
【図２３】
0003705168.tif 000024
【図２４】
0003705168.tif 000025
【図２５】
0003705168.tif 000026
【図２６】
0003705168.tif 000027
【図２７】
0003705168.tif 000028
【図２８】
0003705168.tif 000029
【図２９】
0003705168.tif 000030
【図３０】
0003705168.tif 000031
【図３１】
0003705168.tif 000032
【図３２】
0003705168.tif 000033
【図３３】
0003705168.tif 000034
【図３４】
0003705168.tif 000035
【図３５】
0003705168.tif 000036
【図３６】
0003705168.tif 000037
【図３７】
0003705168.tif 000038
【図３８】
0003705168.tif 000039
【図３９】
0003705168.tif 000040
【図４０】
0003705168.tif 000041